(57)【特許請求の範囲】
【請求項１】
電柱、鉄塔などの構築物の頂部よりも下方に装着し、前記構築物に飛来するカラスに向けてＬＥＤ光源を点滅発光することにより、カラスの営巣を防止するカラスの営巣防止装置であって、
太陽光を効率的に受光するために前記構築物の中心軸に対して傾斜した太陽光受光面と、前記構築物に飛来したカラスに向けてＬＥＤ光を照射するＬＥＤ発光窓とを有する筐体と、
前記筐体を前記構築物の頂部よりも下方に固定可能な固定具と、
該筐体内に設けられ、前記傾斜した太陽光受光面から太陽光を受光して発電する太陽電池と、
前記太陽電池により得られた電力を電源として前記ＬＥＤ発光窓から天空に向かってＬＥＤ光の点滅発光を照射する複数のＬＥＤ光源と、
前記複数のＬＥＤ光源を点滅制御するＬＥＤ光の電気制御回路と、から成ることを特徴とするカラスの営巣防止装置。
【請求項２】
請求項１記載のカラスの営巣防止装置において、
前記構築物は、電柱、高圧電線支持用鉄塔などの架空配電線支持体から成り、前記複数のＬＥＤ光源は、黄色、アンバー、又は赤色光であることを特徴とするカラスの営巣防止装置。
【請求項３】
請求項１又は請求項２記載のカラスの営巣防止装置において、
前記筐体内には、電源として前記太陽電池に加えて、さらに充電式二次電池が内蔵されていることにより、前記ＬＥＤ光源が長期に渡って自立発光するようにしたことを特徴とするカラスの営巣防止装置。
【請求項４】
請求項１〜請求項３のいずれかに記載のカラスの営巣防止装置において、
前記ＬＥＤ光源の電気制御回路は、前記ＬＥＤ光源がランダムな点滅間隔又は一時的に連続したＬＥＤ発光を組み合わせ可能な制御回路であることを特徴とするカラスの営巣防止装置。
【請求項５】
請求項１〜請求項４のいずれかに記載のカラスの営巣防止装置において、
前記ＬＥＤ光源の電気制御回路は、前記太陽電池自身の電圧出力を検知することで日照または日没を検知し、日中のみＬＥＤ光源を点滅制御させるようにした電気制御回路であることを特徴とするカラスの営巣防止装置。
【発明の詳細な説明】
【技術分野】
【０００１】
本発明は、カラス（烏）の営巣防止装置に関する。詳しくは例えば電柱、鉄塔等の構築物の頂部に敷設されている水平アーム等の高圧電線支持部材の上に、カラスが飛来して営巣するのを防止する装置に関する。
【背景技術】
【０００２】
従来より、電力供給各社が難儀している点として、各種電気供給設備への鳥類の営巣被害がある。
【０００３】
営巣をする鳥類としては、カラス、スズメ（雀）、鳩等の種類を問わず、多くの鳥類が存在する。また、営巣をする電気供給設備の種類、場所としても対象を問わないが、中でもカラスの場合は、電柱頂部に通常取り付ける高圧線（２万ボルト）支持用の水平アーム（腕金）の上が格好の営巣場所となる。
【０００４】
なぜならば水平アームは、電柱の頂部近くの高所に取り付けられているため、人間から営巣活動を邪魔されにくく、また、水平アームの取付態様が文字通り水平方向に長く、かつ隣接するアームとの間隔も狭いため、カラスが口に加えてきた雑木類を上空から落とすと、水平アーム上に引っ掛かりやすく、そこに雑木類が蓄積されるため、容易に営巣ができるからである。
【０００５】
問題は、水平アーム上に営巣ができると、この営巣を介して高圧線が金属製の水平アームと導通して短絡する点にある。このような短絡事故は過去に度々あり、一度短絡すると、近隣の一般住宅の停電は勿論、病院、公共機関等を含めた広域停電を招くので、その被害は甚大なものとなる。
【０００６】
また、営巣を除去するにしても、営巣は電柱等の高所にある上、近くに存在する２万ボルトの高圧線のために撤去作業は大掛かりなものとなる。したがって、その撤去作業費は馬鹿にならないほど高額なものとなる。 
【０００７】
このようなカラスの営巣防止を目的とした従来技術としては、従来より数多のものがあるが（例えば特許文献１、２）、出願人は、以前に特願２０１０−２４３５３６において、太陽光を電源とするカラス撃退用のＬＥＤ(発光ダイオード)光源が点滅発光する装置を提案した。
【０００８】
この装置は、飛来するカラスに対して、カラスが生理的に嫌う雀蜂の体表面色に似せた黄色又は赤色のＬＥＤ光源を昼間のみ点滅発光するもので、電柱頂部に装着するものである。
【０００９】
そして、この装置１２台を出願人が実際に自社の構内の電柱頂部に装着して数ヶ月間試行してみたところ、営巣数はなんと０件であり、装着した電柱から５径間(電柱５本分の距離)の範囲は営巣を確認できなかったほどの大きな効果が確認された。
【００１０】
しかし、この装置は、高圧線が近くに存在する電柱頂部に装着するものであったため、装着作業時に高所作業用の専用設備を準備する必要があった。また、作業員の装着作業の安全上、高圧線の計画停電を必要とした。
【先行技術文献】
【特許文献】
【００１１】
【特許文献１】特開２００６−３０４６２６号公報（段落００２１、図１）
【特許文献２】特開２００８−１９９９８５号公報（段落００２１、図６、図７）
【発明の概要】
【発明が解決しようとする課題】
【００１２】
そこで、本発明は、前述した出願人のカラスの営巣防止装置の課題を解消することを目的とするもので、営巣防止装置の設置場所が例えば電柱、鉄塔などの架空配電線支持体の危険な頂部でなく、装着作業が容易かつ安全な下方に装着でき、しかも営巣防止効果がより大であるカラスの営巣防止装置を提供することを目的とする。
【課題を解決するための手段】
【００１３】
前記課題を解決するため、本発明のカラスの営巣防止装置は、電柱、鉄塔などの構築物の頂部よりも下方に装着し、前記構築物に飛来するカラスに向けてＬＥＤ光源を点滅発光することにより、カラスの営巣を防止するカラスの営巣防止装置であって、太陽光を効率的に受光するために前記構築物の中心軸に対して傾斜した太陽光受光面と、前記構築物に飛来したカラスに向けてＬＥＤ光を照射するＬＥＤ発光窓とを有する筐体と、前記筐体を前記構築物の頂部よりも下方に固定可能な固定具と、該筐体内に設けられ、前記傾斜した太陽光受光面から太陽光を受光して発電する太陽電池と、前記太陽電池により得られた電力を電源として前記ＬＥＤ発光窓から天空に向かってＬＥＤ光の点滅発光を照射する複数のＬＥＤ光源と、前記複数のＬＥＤ光源を点滅制御するＬＥＤ光源の電気制御回路と、から成ることを特徴とする。
【００１４】
ここで、前述の「構築物」とは、具体的には電柱、送電用鉄塔などの架空配電線支持体が含まれるが、本発明では広い概念のものであり、およそ飛来するカラスの営巣を防止する必要のある構築物一般を指すものとする。
【００１５】
ＬＥＤ光源の点滅発光源としては、種々のものを用いることができるが、本発明では光源としてＬＥＤ照明球（以下、「ＬＥＤ光源」と称する。）を用いる。カラスに対してＬＥＤ光を照射する理由は、ＬＥＤ光は指向性が高く、カラスの目を直接狙って照射でき、カラスの撃退効果が高いからである。そのため、ＬＥＤ光源は、照明球の先端部に集光レンズを装着して発光をビームの如く絞るのが良い。
【００１６】
ＬＥＤ光源の発光色としては、鳥獣の瞳孔が撹乱するほどの高輝度から成る黄色、アンバー色（琥珀色）、オレンジ色又は赤色光系の波長帯域、及び青色から紫色までの青色系の波長帯域が好ましい。これらのうち黄色等の発光色の波長領域は、５６０〜６２０ｎｍの範囲内のものである。これらの発光色は、いずれもカラスが生理的に嫌う色であり、カラスの習性を利用したものである。特に黄色は、カラスが嫌うスズメ蜂の体表面の色に似ているので撃退効果が高い。
【００１７】
筐体は、複数のＬＥＤ光源を保持し、その内部に太陽光の受光セルやその制御回路を内蔵するためのものである。
【００１８】
筐体の材質は、金属製やプラスチック製など特に限定されないが、その色は黒色にするのが好ましい。筐体を黒色にすると、ＬＥＤ光として黄色を用いた場合にその黄色がカラスには際立って見えるからである。筐体内部には、太陽電池セルが内蔵されており、その太陽光の受光窓は、太陽光を多く入射させるべく構築物の中心軸に対して角度θだけ傾斜している。
【００１９】
筐体内には、電源として太陽電池に加えて、さらに充電式二次電池を内蔵するのが好ましい。雨天や曇天時等のように太陽電池による発電が期待できない日に備えるためである。これにより、太陽電池では発電が期待できない日でも充電式二次電池により、ＬＥＤ光源の継続した点滅、発光が可能になる。
【００２０】
ＬＥＤ光源の電気制御回路は、ＬＥＤ光源がランダムな点滅間隔又は一時的に連続したＬＥＤ発光が可能な制御プログラムを備えるものが好ましい。このようにするのは、カラスのＬＥＤ光に対する慣れを防ぎ、常に撃退効果を維持するためである。
【００２１】
また、ＬＥＤ光源の電気制御回路は、太陽電池自身の出力電圧を検知することで日照または日没を検知し、日中のみＬＥＤ光源を点滅制御させるようにする。何故ならば、夜間に点滅発光することによりＬＥＤ発光が火事であるとの誤認による近隣住民に迷惑を掛けないことと、カラスが営巣活動を休止する夜間に備えて、営巣防止装置の夜間の発光を止めて節電をするためである。
【００２２】
本発明では、以上の諸部材を一つの筐体内に搭載したものである。すなわち、個々の筐体内には、ＬＥＤ光源とその電源及び制御回路が含まれているので、個々に独立して持ち運びが可能であり、取り付け先では個々に独立して発光が可能である。したがって、カラスが群れをなして飛来するような場合は、それに応じて設置数を適宜増減できる効果がある。
【００２３】
そのため、構築物に容易に取り付けられるように、筐体の裏側に構築物への引っ掛け具、ブラケット等の簡易な固定具が設けられており、構築物の頂部よりも下方に固定可能なようにする。この固定具は、筐体に設けられているが、勿論、構築物に設けた固定バンドやブラケット等であってもよく、本発明では両者を含めて「固定具」と称する。
【発明の効果】
【００２４】
本発明のカラスの営巣防止装置によれば、構築物の頂部よりも下方に固定具で装着するので、営巣防止装置を電柱頂部に装着していた従来装着よりも装着作業が格段に安全になる。
【００２５】
また、構築物に飛来するカラスに向けて、カラスの習性上、嫌いな黄色の高輝度のＬＥＤ光源を複数、下方から上方に向けて点滅発光するので、餌を啄ばむために下を向く機会の多いカラスに対する撃退効果が高い。
【００２６】
また、電源として筐体内部に太陽電池セルを有し、その太陽光の受光窓が太陽光を多く入射させるべく構築物の中心軸に対して傾斜しているので、日中の太陽光を日没まで効率的に捕捉することができる。
【００２７】
さらに、個々の筐体ごとに、複数のＬＥＤ光源を点滅制御するＬＥＤ光源の電気制御回路を有するので、カラスに対する撃退効果がさらに高くなる。
【００２８】
ここで、構築物が電柱、高圧電線支持用鉄塔などの架空配電線支持体である場合は、複数のＬＥＤ光源として、鳥獣の瞳孔が撹乱するほどの高輝度から成る黄色、アンバー、又は赤色光を下方から天空に向けて放射することができるので、カラスに対する営巣防止及び撃退効果がより一層高くなる。
【００２９】
また、筐体内に、電源として太陽電池に加えて、さらに充電式二次電池を内蔵させた場合には、雨天時また曇天時のように太陽電池セルの発電が期待できないときにおいてもＬＥＤ光源を継続して自立発光させることができる。
【００３０】
そして、このＬＥＤ光源を電気制御回路によりランダムな点滅間隔又は一時的に連続したＬＥＤ発光をさせると、カラスに対する営巣防止及び撃退効果がより一層高くなる。
さらに、ＬＥＤ光源の電気制御回路を、太陽電池自身の電圧出力を検知することで日照または日没を検知し、日中のみＬＥＤ光源を点滅制御させることができ、この場合は節電ができ、また、近隣住民に対する迷惑も防止することができる。
【図面の簡単な説明】
【００３１】
【図１】本発明に係るカラスの営巣防止装置の全体斜視図で、そのうち図１（ａ）は、太陽光受光面側の全体斜視図、図１（ｂ）は、背面側の全体斜視図である。
【図２】図１の営巣防止装置の詳細図で、そのうち図２（ａ）は、平面図、図２（ｂ）は、図２（ａ）の装置のＡ−Ａ線で切断した断面図、図２（ｃ）は、図２（ｂ）の装置の太陽光受光面側の側面図である。
【図３】図１の営巣防止装置に内蔵されている電源等の電気制御回路図である。
【図４】図３の電気制御回路の動作フロー図である。
【図５】図１の営巣防止装置の第１実施形態を示す正面図である。
【図６】図１の営巣防止装置の第２実施形態を示す正面図である。
【図７】図１の営巣防止装置の第３実施形態を示す正面側の斜視図である。
【発明を実施するための形態】
【００３２】
以下、発明を実施するための形態を、その図面を参照しながら説明する。
【実施形態１】
【００３３】
本発明の第１実施形態を図１〜図５の図面を参照しながら説明する。
【００３４】
本第１実施形態は、詳細は図５で後述するが、本発明のカラスの営巣防止装置１００を、電柱Ｐの頂部Ｔに敷設されている水平アームＦ等の高圧電線支持部材の下方に設置した例である。
【００３５】
図１（ａ）は、本発明に係るカラスの営巣防止装置１００の全体斜視図で、そのうち図１（ａ）は、太陽光受光面１側の全体斜視図、図１（ｂ）は、背面２側の全体斜視図である。
【００３６】
図１（ａ）に示すように、本発明のカラスの営巣防止装置１００は、電源として太陽光を効率良く受光するために、その受光面１が垂直面に対して角度θ（本実施形態では３０°）で傾斜しており、全体形状としては略台形状の箱体（幅９０ｍｍ、高さ１１０ｍｍ、奥行き９０ｍｍ）をしている。
【００３７】
筐体３は、薄鋼鈑を折り曲げて略台形状に成形したもので、その傾斜面は太陽光の受光面１とするため、縦長の長方形の受光窓１５が開口されている。この太陽光の受光面１は、受光窓１５からなるべく多くの太陽光を取り込むために、電柱Ｐ（図５）、鉄塔等の構築物の中心軸に対して、その傾斜角θが２０〜６０°の範囲内に形成するのが好ましい。傾斜角θは、その設置場所の緯度や季節にもよるが設置場所の正午において、太陽光が受光窓１５に対して直交するような角度に設定するのが好ましい。具体的にはカラスＫの営巣活動が盛んになる時期である３〜５月頃の太陽の傾きにより決めると良い。
【００３８】
筐体３の上面５は、円形のＬＥＤ光の発光窓６（内径２０ｍｍ）が所定間隔で２個開口されており、受光面１と上面５とには、雨天時に雨が筐体３内部に侵入しないように、連続した薄い透明ポリカーボネイト製カバー７が十字穴付き小ネジ８で筐体３表面に固定されている。
【００３９】
一方、図１（ｂ）に示すように、筐体３の背面２には、図示しない電柱、鉄塔などの構築物に引っ掛けて固定するための舌状の引っ掛け具である係止具９が固定されている。この係止具９は、細長い鋼鈑の上部９ａを筐体３の背面２に溶接し、下部９ｂを背面２との隙間がｔとなるように折り曲げ成形したものである。
【００４０】
この引っ掛け具を図５に示す電柱Ｐに巻回固定した固定バンド１０に差し込むのである。固定バンド１０は、公知の市販のもので、金属バンドを電柱Ｐに巻回した後、端部に位置する付属のボルトをドライバーで回すことにより、徐々にバンド内径が縮径されて電柱Ｐにしっかりと固定するタイプのものである。この固定バンド１０は、金属製、合成樹脂製、ゴム製等の種々のものを使用できる。
【００４１】
図２は、図１の営巣防止装置１００の詳細図で、そのうち図２（ａ）は、平面図、図２（ｂ）は、図２（ａ）の装置のＡ−Ａ線で切断した断面図、図２（ｃ）は、図２（ｂ）の装置の太陽光受光面１側の側面図である。
【００４２】
図２（ａ）に示すように、筐体３の上面５には、前述した黄色の発光を有するＬＥＤ光源１１（外径１０ｍｍ）が間隔３０ｍｍで配列されている。
【００４３】
このＬＥＤ光源１１は、図２（ｂ）の断面図に示すように、筐体３内部の背面２側に固定されたＬ字状金具１３により筐体３内部から支持され、その放射面を発光窓６の中から上方を臨む位置関係に固定したもので、最大出力が１Ｗタイプ（２．２Ｖ、４５０ｍｍＡ）のものである。
【００４４】
ＬＥＤ光源１１の発光色は、カラスＫの習性上、嫌いな色とされている「すずめ蜂」の体表面色である黄色であり、その波長領域は５６０〜６２０ｎｍの範囲内のものである。本実施形態では、カラスＫの目を狙い、文字通りカラスＫの目を直接射るような狭い範囲の高輝度のＬＥＤ光Ｌを照射するため、ＬＥＤ光源１１の先端部には集光レンズ１２を設けた。集光レンズ１２は、紫外線吸収剤入りのもので先端部が突出しており、拡散角度を狭い照射角度内に絞ることができる。
【００４５】
Ｌ字状金具１３の受光面１側には、図３で後述するＬＥＤ光源１１の電気制御回路３０（図３）を有する回路基板１４が固定されている。
【００４６】
受光窓１５の裏側の筐体３には、受光窓１５の全面を覆うように太陽電池セル１６がナット１８で固定されている。
【００４７】
一方、筐体３内部の底面には、雨天時や曇天時の発電が期待できないときのため電源として二次電池１７が固定されている。本実施形態では、二次電池１７は、ニッケル水素蓄電池（登録商標：エネループ）であり、２．４Ｖで１８００ｍｍＡｈの能力のものである。すなわち、雨天時等には二次電池１７を電源とし、一方、晴天時には太陽電池セル１６を電源とすると共にその余剰電力を二次電池に充電している。
【００４８】
次に、図３の電気制御回路図に基づき、回路基板１４中に設けられている電気制御回路３０について説明する。
【００４９】
電気制御回路３０は、前述したＬＥＤ光源１１、太陽電池セル１６及び太陽電池セル１６で発電した電力を充電する二次電池１７と、二次電池１７の電圧を検出する電圧検出手段３１と、二次電池１７から太陽電池セル１６側への逆流を防ぐための逆流防止ダイオード３２と、二次電池１７が満充電になった場合に太陽電池セル１６からの充電をカットするための充電制御手段３３と、太陽電池セル１６の電圧出力の有無により日昇を判定する電圧検出手段３４と、この電圧検出手段３４からの信号を検知して充電制御手段３３を制御しつつ、負荷であるＬＥＤ光源１１の点滅制御を行うＣＰＵ３５と、ＬＥＤ光源１１のオンオフをスイッチする半導体スイッチ３６とから構成されている。
【００５０】
ここで、二次電池１７は、例えばニッカド電池、ニッケル水素蓄電池、または鉛蓄電池、リチウムイオン二次電池、電気二十層キャパシタである。
【００５１】
なお、充電制御手段３３内部において、太陽電池セル１６の発電電流を微小抵抗（不図示）に通電させて電圧に変換し、その値をＣＰＵ３５に取り込み、電流の積算値を監視することで二次電池１７の満充電をコントロールしてもよい。
【００５２】
また二次電池１７からの放電電流を微小抵抗に通電させて電圧に変換し、その値をＣＰＵ３５に取り込み、電流の積算値を監視することで二次電池１７の過放電を監視及びコントロールしてもよい。
【００５３】
更に、ＣＰＵ３５以外の図示しないロジック回路やゲートアレイなどの手段で同様の回路を形成してもよい。
【００５４】
上記ＣＰＵ３５には、カラスＫの営巣を防止するために種々のプログラムを入力することができる。例えば、カラスＫが営巣活動を休止する夜間を除いた昼間の時間帯のみＬＥＤ光源１１を点滅発光するプログラムや、カラスＫの馴れを防止するためにＬＥＤ光源１１の点滅間隔と点滅時間をランダム又は一時的に連続したＬＥＤ発光が可能なプログラムである。
【００５５】
具体的な点滅発光プログラムとして、ＬＥＤ光源１１を点灯しない時間を作ったり、その後突然、高速で点滅させたり、或は即時に遅いタイミングで点灯させるなど、点灯間隔、点滅周期をランダムに組み合わせたものである。
【００５６】
このような多彩なプログラムによる意表を突く点灯をすることで、カラスＫの馴れを防ぎ、常にカラスＫを驚かせて撃退できるようにする。
【００５７】
また、本発明の応用展開として、上記電気制御回路３０に図示しない超音波センサーを併用して、カラスＫが構築物に近づいた時のみＬＥＤ発光を開始したり、或いはスピーカ等の拡声装置を併用してカラスＫの警戒音や、カラスＫが嫌う雀蜂の羽音や猛禽類の吼え声、大音響の撃退音等をＬＥＤ発光と同時に発することもできる。
【００５８】
さらに、カラスＫは毎年３〜５月頃に営巣活動が盛んになるので、本発明の装置がこの時期に作動するように、また、節電を考慮して時計及びカレンダー機能をＣＰＵ３５に搭載しても良い。
【００５９】
次に、図３の電気制御回路３０の動作フロー図である図４及び本発明に係る営巣防止装置１００の設置例の一例である図５を参照しながら、本発明の作用を説明する。
【００６０】
図５において、まず、本発明に係る営巣防止装置１００を電柱Ｐの水平アームＦ等の下方に取り付けるには、作業者が図示しないバケット車、梯子等の適当な昇降具を用いて、水平アームＦ等の下方（地上約１０ｍ）にまで上り、電柱Ｐに営巣防止装置１００の固定金具である固定バンド１０を重力で下方にずり落ちない程度に仮止めする。
【００６１】
この作業は、前述した改良前の電柱Ｐの頂部Ｔに営巣防止装置１００を装着するタイプと異なり、２万ボルトもの高圧電線を支持している高所の水平アームＦにまで作業者が営巣防止装置１００を持ち上げる必要が無いので、その装着作業は改良前のものに比べて格段に安全かつ簡単である。
【００６２】
次に、作業者が図示しないバケット車の中から上方を見て、カラスＫが営巣をしそうな水平アームＦの下方であって、太陽光Ｓが届きそうな位置の固定バンド１０上に、筐体３裏面に固定してある舌状の固定金具９の下部９ｂを固定バンド１０と電柱Ｐとの隙間に差し入れ、下方に押し込む。
【００６３】
これで１個の営巣防止装置１００をその受光面１を太陽に向けた姿勢で仮止めしたことになる。このようにして太陽光Ｓが当たる範囲のバンドの周囲に複数の営巣防止装置１００を装着し、その後固定バンド１０を本締めする。本実施形態では、太陽光Ｓの当たる側を中心に１０個の営巣防止装置１００を固定バンド１０の周囲に装着した。
【００６４】
このように電柱Ｐを取り巻くように、複数の営巣防止装置１００を固定すると、太陽が動いてもあたかも太陽を自動追尾するが如く、いずれかの営巣防止装置１００の太陽電池セル１６が太陽光Ｓを日没まで順次、捉えることができる。
【００６５】
次に図４において、最初はＬＥＤ光源１１は消灯している（Ｓ１）。
ここで、図３において、太陽電池セル１６が太陽光Ｓを受光すると、太陽電池セル１６で発電された電力は、逆流防止ダイオード３２と充電制御手段３３を介して二次電池１７へ充電される。充電時は電圧検知手段３１により二次電池１７の電池電圧がモニターされて、その値がＣＰＵ３５に内蔵されている図示しないＡ／Ｄコンバーターにより取り込まれる。
【００６６】
二次電池１７が満充電の電圧に至ったら、充電制御手段３３を制御し、太陽電池セル１６からの充電を遮断する。充電を遮断した後、二次電池１７の電圧が下がり始めたら再度、充電制御手段３３をオンして充電を開始する。
【００６７】
カラスＫの営巣活動は、日中に行われるのでＬＥＤ光源１１の発光動作は日中のみでよい。そこで太陽電池セル１６出力の電圧の推移を電圧検出手段３４により検知して、その電圧値をＣＰＵ３５のＡ／Ｄコンバーターに取り込む（Ｓ２）。
【００６８】
太陽電池セル１６が閾値の規定電圧と比較され、日照があると判別され（Ｓ３）、規定値電圧以上であると日照があると判断され（Ｙ）、ＬＥＤ光源１１の点滅動作がランダムに開始する（Ｓ４）。すなわち、ＣＰＵ３５内部でソフトウエアにより、ＬＥＤ光源１１の点滅の間隔のタイミングをランダムに発生させ、そのパルス信号をＣＰＵ３５のポートへ出力し、半導体スイッチ３６をオンオフさせ、ＬＥＤ光源１１を高輝度点滅させる。
一方、日没により太陽電池セル１６の出力電圧が低下したら、現在は夜間（Ｎ）であると判断し、ＬＥＤ光源１１の点滅動作を停止させる（Ｓ１）。
【００６９】
ここで、雨天や積雪などの影響で太陽電池セル１６の発電量が低下したことで二次電池１７の容量も低下し、電圧が著しく低くなる過放電状態になった場合は、電圧検出手段３１によって検出された電圧を判断する（Ｓ５）。
【００７０】
すなわち、過放電状態と判断した場合（Ｙ）は、日中のＬＥＤ光源１１の点滅動作を停止（Ｓ７）する。過放電状態ではないと判断した場合（Ｎ）は、点滅の間隔を長くしたり、ＤＵＴＹ比（ＬＥＤ光源１１がＯＮしている時間とＯＦＦしている時間の比率）を短くすることで、平均の消費電流を低減させて、過放電を防止するようＣＰＵ３５で制御する（Ｓ６）。
【００７１】
逆に二次電池１７が過充電状態になることを防止するために同様の動作を行い（Ｓ８）、過充電状態であると判断した場合（Ｙ）は、充電制御手段３３をオフして充電を停止させる（Ｓ９）。問題ないと判断した場合は（Ｎ）、元に戻る（Ｓ２）。
【００７２】
これらのロジカルなランダム信号の発生手段は、上記のようにソフトウエア的手段以外にハードウエア的手段によって構成してもよい。
【００７３】
以上の動作フローにより、本実施形態の装置１００は、次の効果を奏する。ＬＥＤ光源１１がランダムに点滅し、黄色のＬＥＤ光が集光レンズで絞られ、天空に向かって照射されると、カラスＫが飛来しても電柱Ｐを中心としてその周囲にカラスＫの習性上、嫌いな黄色の超高輝度のＬＥＤ光が点滅しているので、カラスＫは構築物への飛来を中止する。
この場合、太陽が時間の経過とともに動いても、電柱Ｐの周囲に固定されている複数個の営巣防止装置１００のうちいずれかの装置１００の受光窓１５に太陽光Ｓが入射するから、日没近くまで発電を継続することができる。
【００７４】
一方、太陽が出ていない雨天や曇天時には、バックアップとして二次電池１７からの電力が供給されるので、本発明の装置はＬＥＤ発光窓６から継続してＬＥＤ光を天空に向かって照射し続けることができる。
【００７５】
そして、日没近くになると、太陽電池セル１６自身の電圧出力が低下するので、これを信号として日没を検知し、カラスＫが営巣活動を休止する夜間の時間帯の点滅発光を停止する。この処置により節電運転ができると同時に、近隣の地域住民による火事等の誤認による迷惑もなくなる。
【００７６】
翌日に太陽が昇り始めると、太陽光Ｓを受光面１に直接受けた営巣防止装置１００の太陽電池セル１６の電圧が上昇するので、これを信号として営巣防止装置１００が起動し、ＬＥＤ発光窓６からのＬＥＤ光Ｌの照射が再開される。
【００７７】
以上に述べたとおり、本発明に係るカラスＫの営巣防止装置１００は、個々に独立して持ち運びが可能であり、電柱Ｐなどの構築物への取り付けに際しては、電柱Ｐの頂部Ｔよりも下方位置に固定バンド１０を固定し、これに営巣防止装置１００の係止具９を引っ掛けるだけでよいので、従来の頂部Ｔに装着するタイプに比べて装着作業が格段に安全かつ容易である。
【００７８】
また、カラスＫがその習性上、嫌いな黄色の超高輝度のＬＥＤ光Ｌを点滅発光するので、営巣防止効果が大である。
【００７９】
更に、電源として２系統の電源を備えているため、天候の如何に関わらず作動が可能であり、長期に渡ってカラスＫの営巣活動を効果的に防止することができる。したがって、電力供給会社は、従来、営巣防止に投資していた高額の営巣防止装置１００の設置費、定期パトロール費及び営巣の撤去費等を節減することができ、多大の効果を発揮する。
【実施形態２】
【００８０】
図６は、図１の営巣防止装置２００の第２実施形態を示す正面図である。
【００８１】
この図は、第１実施形態の営巣防止装置１００を２万ボルトの高圧線支持用の水平アームＦ（腕金）の側面に複数個係止したものである。
【００８２】
すなわち、水平アームＦの側面には、第１実施形態で説明した引っ掛け具を１８０°回転させて倒立させたような係止具９が所定間隔で溶接されている。一方、営巣防止装置２００の背面２には、図のような断面コの字状の被係止具２０がビス２１で固定されている。
【００８３】
したがって、作業者が図示しないバケット車に乗り、水平アームＦ側面の係止具９に営巣防止装置２００の被係止具２０を引っ掛ければ、容易に水平アームＦの側面に営巣防止装置２００を固定することができる。この第２実施形態における営巣防止装置２００の位置は、前述の第１実施形態の場合よりもやや上方位置にはなるが、それでも電柱Ｐの頂部Ｔに装着していた従来装置よりは低い位置でよいため、装着作業が格段に安全で容易である。
【００８４】
なお、符号２５は、前述したスピーカであり、カラスＫが電柱Ｐに近づくとカラスが嫌う猛禽類や大音響の撃退音等が発するようになっている。
【実施形態３】
【００８５】
図７は、図１の営巣防止装置３００の第３実施形態を示す正面側の斜視図である。
【００８６】
この図は、構築物が高圧トランス２１の例であり、上部に高圧用碍子２２を有するものである。カラス（不図示）は、その習性上、高圧用碍子２２と高圧用碍子２２との間で営巣をすることがよくある。
【００８７】
本実施形態の営巣防止装置３００は、筐体４が横長の直方体状のものであり、その側面に太陽電池セル１６の受光窓２３を設け、内部に前述したＬＥＤ光源１１の二次電池１７や電気制御回路３０等を内蔵し、筐体４上部にＬＥＤ光源１１を一定間隔で配置し、これをブラケット２４で高圧トランス２１の架台２６の側面に固定したものである。
【００８８】
この例では、太陽光Ｓが太陽電池セル１６の受光窓２３から入射すると、筐体内部で発電されて上部の複数のＬＥＤ光源１１からＬＥＤ光Ｌを上方の図示しないカラスに向けて点滅発光するものである。
【００８９】
この例によっても営巣防止装置３００の取付場所は、高圧用碍子２２の下方でよく、取り付け作業が格段に安全である。
【００９０】
そして、ＬＥＤ光源１１は、高圧用碍子２２の周囲を取り巻くように複数個が設置されているから、その点滅発光Ｌも高圧用碍子２２を取り巻くように下方から上方に向けて発光するため、カラスに対する撃退効果が高くなる。
【００９１】
以上に本発明の種々の実施形態を説明したが、本発明は、前記第１〜第３実施形態のものに限定されず、特許請求の範囲に記載された範囲及び実施形態の範囲で種々の変形、組み合わせが可能であり、これらの変形、組み合わせ例も本発明の範囲に含まれることは勿論である。
【産業上の利用可能性】
【００９２】
本発明の営巣防止装置は、文字通りカラスの営巣を防止する装置であるが、基本的にはＬＥＤ光を照明光として放射するものであるから、その設置対象は前述した電柱、鉄塔などの架空配電線支持体に限定されない。したがって、本発明の装置は、交通案内標識灯、災害時用標識灯などとしても効果的に適用できる。
【符号の説明】
【００９３】
１  太陽光受光面
２  背面
３、４  筐体
５  上面
６  発光窓
７  透明ポリカーボネイト製カバー
８  十字穴付き小ネジ
９、２０  係止具
１０  固定バンド
１１  ＬＥＤ光源
１２  集光レンズ
１３  Ｌ字状金具
１４  回路基板
１５、２３  受光窓
１６  太陽電池セル
１７  二次電池
１８  ナット
２１  高圧トランス
２２  高圧用碍子
２４  ブラケット
２５  スピーカ  
２６  架台
３０  電気制御回路
３１  電圧検出手段
３２  逆流防止ダイオード
３３  充電制御手段
３４  電圧検出手段
３５  ＣＰＵ
３６  半導体スイッチ
１００  カラスの営巣防止装置（第１実施形態）
２００  カラスの営巣防止装置（第２実施形態）
３００  カラスの営巣防止装置（第３実施形態）
Ｆ  水平アーム
Ｋ  カラス
Ｌ  ＬＥＤ光
Ｐ  電柱
Ｓ  太陽光
Ｔ  電柱の頂部
θ  受光面の垂直面に対する傾斜角度
【要約】      （修正有）【課題】電柱、鉄塔などの架空配電線支持体の頂部に装着しなくても、頂部よりも下方において装着が容易であって、営巣防止効果がより大であるカラスの営巣防止装置を提供する。【解決手段】本発明の営巣防止装置１００は、太陽光Ｓの受光面を有し、構築物に飛来したカラスＫに向けてＬＥＤ光Ｌを照射する筐体と、太陽光Ｓを受光して発電する太陽電池と、これを電源として天空に向かってＬＥＤ光Ｌの点滅発光を照射する複数のＬＥＤ光源と、このＬＥＤ光源を点滅制御させる電気制御回路とから成り、構築物の頂部Ｔよりも下方に固定可能な固定具１０を有する。【選択図】図５【図１】
0005197866.tif 000002
【図２】
0005197866.tif 000003
【図３】
0005197866.tif 000004
【図４】
0005197866.tif 000005
【図５】
0005197866.tif 000006
【図６】
0005197866.tif 000007
【図７】
0005197866.tif 000008